【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
識別情報の可変表示を行ない、表示結果を導出表示可能な可変表示手段を備え、導出表示された表示結果が特定表示結果となったときに遊技者にとって有利な特定遊技状態に制御可能となり、導出表示された表示結果が特定表示結果のうちの特別表示結果となったときに前記特定遊技状態および前記特定遊技状態が発生しやすい特別遊技状態に制御可能となる遊技機であって、
可変表示の表示結果を前記特定表示結果とするか否かの特定表示結果判定を行ない、該特定表示結果判定の判定結果が前記特定表示結果とするものであるときに、前記特別遊技状態に制御するか否かの特別遊技状態判定を行なう一方、前記特定表示結果判定の判定結果が前記特定表示結果としないものであるときに、リーチ状態を発生させるか否かのリーチ判定を行なう判定手段と、
前記判定手段の判定結果にもとづいて、所定の予告演出を実行するか否かの決定を行なう予告演出決定手段と、
該予告演出決定手段の決定に従って前記所定の予告演出を実行する予告演出手段とを含み、
前記予告演出決定手段は、前記特別遊技状態においては、前記特別遊技状態判定の判定結果が前記特別遊技状態に制御するものであるときと、前記リーチ判定の判定結果がリーチ状態を発生させるものであるときにのみ、前記所定の予告演出を実行すると決定することを特徴とする、遊技機。
【手続補正２】
【補正対象書類名】明細書
【補正対象項目名】０００１
【補正方法】変更
【補正の内容】
【０００１】
本発明は、パチンコ遊技機などで代表される遊技機に関する。詳しくは、識別情報の可変表示を行ない、表示結果を導出表示可能な可変表示手段を備え、導出表示された表示結果が特定表示結果となったときに遊技者にとって有利な特定遊技状態に制御可能となり、導出表示された表示結果が特定表示結果のうちの特別表示結果となったときに前記特定遊技状態および前記特定遊技状態が発生しやすい特別遊技状態に制御可能となる遊技機に関する。
【手続補正３】
【補正対象書類名】明細書
【補正対象項目名】０００２
【補正方法】変更
【補正の内容】
【０００２】
この種の遊技機として従来から一般的に知られているものに、たとえば、パチンコ遊技機のように、識別情報の可変表示を行ない、表示結果を導出表示可能な可変表示手段を備え、導出表示された表示結果が特定表示結果となったときに遊技者にとって有利な特定遊技状態に制御可能となり、導出表示された表示結果が特定表示結果のうちの特別表示結果となったときに前記特定遊技状態および前記特定遊技状態が発生しやすい特別遊技状態に制御可能となるものがある。
【手続補正４】
【補正対象書類名】明細書
【補正対象項目名】０００３
【補正方法】変更
【補正の内容】
【０００３】
このような遊技機においては、特定遊技状態となるか否かをあらかじめ判定し、特定遊技状態になる可能性があることを予告報知し、遊技者に期待感を持たせ遊技演出を盛り上げ興趣を向上させようとするものがあった。
【手続補正５】
【補正対象書類名】明細書
【補正対象項目名】０００４
【補正方法】変更
【補正の内容】
【０００４】
しかしながら、上記のような遊技機においては、予告演出が行なわれたにも関わらず、可変表示手段の表示結果が特別表示結果以外の特定表示結果になってしまうことや、あるいはリーチ状態にもならないことがあったので、遊技者を興ざめさせてしまうという問題があった。
【手続補正６】
【補正対象書類名】明細書
【補正対象項目名】０００５
【補正方法】変更
【補正の内容】
【０００５】
この発明は上述の問題に鑑みてなされたものであって、その目的は、遊技者を興ざめさせることを防止可能となる遊技機を提供し、遊技の興趣性を向上させることである。
【手続補正７】
【補正対象書類名】明細書
【補正対象項目名】０００６
【補正方法】変更
【補正の内容】
【０００６】
（１）  識別情報の可変表示を行ない、表示結果を導出表示可能な可変表示手段（可変表示装置８）を備え、導出表示された表示結果が特定表示結果（たとえば、「２２２」等ゾロ目）となったときに遊技者にとって有利な特定遊技状態（たとえば、大当り状態）に制御可能となり、導出表示された表示結果が特定表示結果のうちの特別表示結果となったときに前記特定遊技状態および前記特定遊技状態が発生しやすい特別遊技状態に制御可能となる遊技機（パチンコ遊技機１）であって、
可変表示の表示結果を前記特定表示結果とするか否かの特定表示結果判定（図１４のＳＣ０１）を行ない、該特定表示結果判定の判定結果が前記特定表示結果とするものであるときに、前記特別遊技状態に制御するか否かの特別遊技状態判定を行なう一方、前記特定表示結果判定の判定結果が前記特定表示結果としないものであるとき（図１４のＳＣ０１とＳＣ０５において「ＮＯ」のとき）に、リーチ状態を発生させるか否かのリーチ判定を行なう（図１４のＳＣ０７参照）判定手段（図１２のＳＡ０１参照）と、
前記判定手段の判定結果（図１４のＳＣ０２，ＳＣ０４，ＳＣ０８，ＳＣ０９で設定送信される判定結果コマンド等）にもとづいて、所定の予告演出（図１０等参照）を実行するか否かの決定を行なう予告演出決定手段（図１８参照）と、
該予告演出決定手段の決定に従って前記所定の予告演出を実行する予告演出手段とを含み、
前記予告演出決定手段は、前記特別遊技状態においては、前記特別遊技状態判定の判定結果が前記特別遊技状態に制御するものであるときと、前記リーチ判定の判定結果がリーチ状態を発生させるものであるときにのみ、前記所定の予告演出を実行すると決定する。
【手続補正８】
【補正対象書類名】明細書
【補正対象項目名】０００７
【補正方法】変更
【補正の内容】
【０００７】
上述の構成によれば、特別遊技状態において所定の予告演出が行なわれたにも関わらず、可変表示手段の表示結果が特別表示結果以外の特定表示結果になってしまうことや、あるいはリーチ状態にもならないといったことがない。その結果、遊技者を興ざめさせることはなく、遊技の興趣を向上させることができる。
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】削除
【補正の内容】
【手続補正２３】
【補正対象書類名】明細書
【補正対象項目名】００２２
【補正方法】削除
【補正の内容】
【手続補正２４】
【補正対象書類名】明細書
【補正対象項目名】００２３
【補正方法】削除
【補正の内容】
【手続補正２５】
【補正対象書類名】明細書
【補正対象項目名】００２４
【補正方法】変更
【補正の内容】
【００２４】
以下に、本発明の実施の形態を図面に基づいて説明する。なお、以下の実施の形態においては、遊技機の一例としてパチンコ遊技機を示すが、識別情報の可変表示を行ない、表示結果を導出表示可能な可変表示手段を備え、導出表示された表示結果が特定表示結果となったときに遊技者にとって有利な特定遊技状態に制御可能となり、導出表示された表示結果が特定表示結果のうちの特別表示結果となったときに前記特定遊技状態および前記特定遊技状態が発生しやすい特別遊技状態に制御可能となる遊技機であれば他の遊技機においても適用することが可能である。